(57)【要約】   【課題】    防音性及び通気性の両方を確保する。  【解決手段】本発明に係る遮音扉１は、矩形状枠体２及び該矩形状枠体の構面内に配置された複数の横材４からなる矩形状フレーム１５と、該矩形状フレームに気密に接合された一対の面板３ａ，３ｂとで概ね構成してあり、面板３ａは矩形状フレーム１５の正面に、面板３ｂは矩形状フレーム１５の背面にそれぞれ接合してある。横材４は、矩形状枠体２の短手方向、すなわち上枠材７及び下枠材８と平行になるように所定間隔で配置するとともに、その両端を縦枠材９，９に接合してあり、矩形状枠体２と各面板３ａ，３ｂとで囲まれた扉内空間を複数の分割空間２１に区画している。また、各横材４には、矩形状枠体２の長手方向、すなわち縦枠材９と平行になるように貫通孔１１をそれぞれ形成してあり、該貫通孔を介して複数の分割空間２１を連続的に連通させるようになっている。  【選択図】  図１
2005105579.tif 000002
【特許請求の範囲】
【請求項１】
矩形状枠体の構面内に該矩形状枠体の短手方向と平行な横材が複数配置された矩形状フレームと、該矩形状フレームの正面及び背面にそれぞれ気密に接合された一対の面板とからなり、前記矩形状枠体及び前記面板で囲まれた扉内空間が前記各横材によって複数の分割空間に区画されてなる遮音扉であって、前記複数の分割空間のうち、前記各横材を介して隣接する分割空間が互いに連通するように該各横材に所定の貫通孔をそれぞれ形成するとともに、前記矩形状枠体のうち、建込み姿勢にて上部に位置する上枠材に上部貫通孔を形成して前記分割空間のうち、最上段の分割空間を外部に連通させ、前記矩形状枠体のうち、建込み姿勢にて下部に位置する下枠材に下部貫通孔を形成して前記分割空間のうち、最下段の分割空間を外部に連通させたことを特徴とする遮音扉。
【請求項２】
前記各分割空間に前記面板と非平行にかつ建込み状態にて鉛直になるように所定の仕切板を配置して前記各分割空間の空気層の厚みを前記矩形状枠体の短手方向に沿って変化させた請求項１記載の遮音扉。
【請求項３】
前記仕切板を中央で折曲げ形成された折曲げ板で構成し、該折曲げ板の両側方縁部を前記矩形状枠体の内方両側面にそれぞれ接合するとともに、前記折曲げ板の折曲げ位置における山側突出部を前記面板の内面に接合した請求項２記載の遮音扉。
【請求項４】
前記各折曲げ板をその折曲げ側が前記矩形状枠体の長手方向に沿って交互になるように前記分割空間にそれぞれ配置した請求項３記載の遮音扉。
【請求項５】
請求項１乃至請求項４のいずれか一記載の遮音扉を扉枠内に設置し、前記遮音扉を閉じた状態にて、前記上部貫通孔が居室の外側に拡がる非居室空間に連通し居室内空間には非連通となるとともに前記下部貫通孔が前記非居室空間に非連通となり前記居室内空間に連通するように、前記遮音扉と前記扉枠との隙間のうち、該遮音扉の上縁側及び側方縁部側であって前記居室側に第１のシール部材を配置するとともに、前記遮音扉と床面との隙間のうち、前記遮音扉の下縁側であって前記非居室空間側に第２のシール部材を配置したことを特徴とする遮音扉構造。
【請求項６】
前記遮音扉の開き側側方縁部の下端近傍と前記床面との隙間を塞ぐ塞ぎブロックを前記床面に設置した請求項５記載の遮音扉構造。
【発明の詳細な説明】
【技術分野】
【０００１】
本発明は、例えば住宅の個室やトイレなど防音性及び通気性を必要とする場合に用いる遮音扉及び遮音扉構造に関する。
【背景技術】
【０００２】
住宅の個室やトイレにおいては、換気の必要上、例えば扉のアンダーカットを行ったり、扉内に空気が通過する通気路を形成したりするなど、換気ための空気の流れを確保するのが一般的である。
【０００３】
一方、プライベートの保護や周囲への音の影響を低減するために、扉に防音性が求められる場合がある。
【０００４】
【特許文献１】実開平５−５４７９２号公報
【発明の開示】
【発明が解決しようとする課題】
【０００５】
しかしながら、防音性を高めるためには、扉をできるだけ気密に構成するのが望ましいのに対し、換気のためには通気性を確保するように構成しなければならず、防音と通気の両方の機能を有する扉を構成するのは困難であるという問題を生じていた。
【課題を解決するための手段】
【０００６】
本発明は、上述した事情を考慮してなされたもので、防音性及び通気性の両方を確保することが可能な遮音扉及び遮音扉構造を提供することを目的とする。
【０００７】
上記目的を達成するため、本発明に係る遮音扉は請求項１に記載したように、矩形状枠体の構面内に該矩形状枠体の短手方向と平行な横材が複数配置された矩形状フレームと、該矩形状フレームの正面及び背面にそれぞれ気密に接合された一対の面板とからなり、前記矩形状枠体及び前記面板で囲まれた扉内空間が前記各横材によって複数の分割空間に区画されてなる遮音扉であって、前記複数の分割空間のうち、前記各横材を介して隣接する分割空間が互いに連通するように該各横材に所定の貫通孔をそれぞれ形成するとともに、前記矩形状枠体のうち、建込み姿勢にて上部に位置する上枠材に上部貫通孔を形成して前記分割空間のうち、最上段の分割空間を外部に連通させ、前記矩形状枠体のうち、建込み姿勢にて下部に位置する下枠材に下部貫通孔を形成して前記分割空間のうち、最下段の分割空間を外部に連通させたものである。
【０００８】
また、本発明に係る遮音扉は、前記各分割空間に前記面板と非平行にかつ建込み状態にて鉛直になるように所定の仕切板を配置して前記各分割空間の空気層の厚みを前記矩形状枠体の短手方向に沿って変化させたものである。
【０００９】
また、本発明に係る遮音扉は、前記仕切板を中央で折曲げ形成された折曲げ板で構成し、該折曲げ板の両側方縁部を前記矩形状枠体の内方両側面にそれぞれ接合するとともに、前記折曲げ板の折曲げ位置における山側突出部を前記面板の内面に接合したものである。
【００１０】
また、本発明に係る遮音扉は、前記各折曲げ板をその折曲げ側が前記矩形状枠体の長手方向に沿って交互になるように前記分割空間にそれぞれ配置したものである。
【００１１】
また、本発明に係る遮音扉構造は請求項５に記載したように、請求項１乃至請求項４のいずれか一記載の遮音扉を扉枠内に設置し、前記遮音扉を閉じた状態にて、前記上部貫通孔が居室の外側に拡がる非居室空間に連通し居室内空間には非連通となるとともに前記下部貫通孔が前記非居室空間に非連通となり前記居室内空間に連通するように、前記遮音扉と前記扉枠との隙間のうち、該遮音扉の上縁側及び側方縁部側であって前記居室側に第１のシール部材を配置するとともに、前記遮音扉と床面との隙間のうち、前記遮音扉の下縁側であって前記非居室空間側に第２のシール部材を配置したものである。
【００１２】
また、本発明に係る遮音扉構造は、前記遮音扉の開き側側方縁部の下端近傍と前記床面との隙間を塞ぐ塞ぎブロックを前記床面に設置したものである。
【００１３】
居室内空間から居室の外側に拡がる非居室空間へ音が伝播する場合、一般的には居室内空間で発生した音が扉を透過する場合と扉枠との隙間から漏れる場合とがあるが、かかる従来技術においては、居室の換気を確保することはできても、扉枠との隙間が発生していることによって、居室内での発生音を遮音することができず、非居室空間に音が伝播するのを避けることは困難である。
【００１４】
それに対し、本発明に係る遮音扉及び遮音扉構造においては、扉枠との隙間を気密に構成するとともに扉内空間に空気が流れる流路を新規に構成することにより、換気を確保しながら、以下のように居室内空間の発生音を減衰させる。
【００１５】
すなわち、本発明に係る遮音扉及び遮音扉構造においては、居室内空間で発生した音が扉内空間を伝播して非居室空間へ伝わる際、まず、下部貫通孔を介して最下段の分割空間に音が入り、次いで、横材に設けられた貫通孔を通過して隣接する分割空間に音が入る。以下、貫通孔と分割空間とを交互に音が伝播していき、最後に上部貫通孔から非居室空間へと音が出ていく。
【００１６】
かかる過程において、遮音扉内に入った音は、断面積が大きい分割空間と、断面積が小さい貫通孔とを交互に伝播していくこととなるため、かかる断面積の変化によって生じる音の反射や、貫通孔を通過する際に生じる摩擦等によって音のエネルギーが減衰する。すなわち、遮音扉内を音が伝播していく際には、空洞型消音器と同様の効果を得ることができ、居室内空間で発生した音は、扉内空間を伝播する際に減衰されて非居室空間へ伝わることとなり、防音性を確保することが可能となる。
【００１７】
なお、非居室空間で発生した音が扉内空間を伝播して居室内空間へ伝わる際も、音が伝播していく方向が逆になるだけで、上述した居室内空間で発生した音が非居室空間へ伝わる場合と同様の作用効果を奏することとなる。
【００１８】
一方、非居室空間の空気は、上部貫通孔から最上段の分割空間に入り、横材に設けられた貫通孔と分割空間とを交互に通過しながら、下部貫通孔から居室内空間へと出ていく。
【００１９】
このように、遮音扉内には鉛直に抜ける空気の流路が形成されているため、非居室空間から居室内空間への通気性も確保することが可能となる。
【００２０】
なお、居室内空間から非居室空間への通気性も同時に確保されることは言うまでもない。
【００２１】
貫通孔は、互いに隣接する２つの分割空間を連通させることができるのであれば、どのような構成であるかは問わないが、音を減衰させることができるよう、分割空間の断面積に対する貫通孔の断面積の比率を適宜設定する。
【００２２】
上部貫通孔及び下部貫通孔についても同様であり、分割空間と外部とを連通させることができるのであれば、どのような構成であるかは問わないが、音を減衰させることができるよう、分割空間の断面積に対する上部貫通孔及び下部貫通孔の断面積の比率を適宜設定する。
【００２３】
ここで、各分割空間に面板と非平行にかつ建込み状態にて鉛直になるように所定の仕切板を配置して各分割空間の空気層の厚みを矩形状枠体の短手方向に沿って変化させた場合においては、各面板と仕切板との間に形成される空気層の厚みが均一でなくなるため、二重壁に起因する共振作用によって特定の周波数の音が通過しやすくなるという透過損失の問題を解消し、遮音扉の防音性を向上させることが可能となる。
【００２４】
なお、仕切板が建込み状態にて鉛直になるように配置されているので、各分割空間の相互連通、ひいては鉛直に抜ける空気の流路は上述したようにそのまま維持される。したがって、通気性が阻害される懸念はない。
【００２５】
仕切板は、各分割空間に面板と非平行にかつ建込み状態にて鉛直になるように配置して各分割空間の空気層の厚みを矩形状枠体の短手方向に沿って変化させることができるのであれば、どのように構成するかは任意であり、例えば、矩形状の平板で構成することが考えられるが、ここで、仕切板を中央で折曲げ形成された折曲げ板で構成し、該折曲げ板の両側方縁部を矩形状枠体の内方両側面にそれぞれ接合するとともに、折曲げ板の折曲げ位置における山側突出部を面板の内面に接合してもかまわない。
【００２６】
このようにすると、各折曲げ板を分割空間に取り付ける際の作業性が向上する。すなわち、遮音扉を製造する際は、まず、一方の面板を矩形状フレームに接合し、次いで、仕切板を取り付け、次に、他方の面板を接合することとなるが、仕切板を折曲げ板で構成してあるため、折曲げ板を取り付ける際、矩形状フレーム内に折曲げ板を置くだけで、面板と非平行となるように安定して配置することができ、容易に折曲げ板を取り付けることが可能となる。
【００２７】
ここで、各折曲げ板をその折曲げ側が全て正面側となるように、又は全て背面側となるように配置してもかまわないが、各折曲げ板をその折曲げ側が矩形状枠体の長手方向に沿って交互になるように複数の分割空間にそれぞれ配置するようにしてもかまわない。
【００２８】
このようにすれば、遮音扉を対称構造とすることが可能となり、遮音扉の反りを未然に防止することができる。
【００２９】
また、本発明に係る遮音扉構造においては、請求項１乃至請求項４のいずれか一記載の遮音扉を扉枠内に設置し、遮音扉を閉じた状態にて、上部貫通孔が居室の外側に拡がる非居室空間に連通し居室内空間には非連通となるとともに下部貫通孔が非居室空間に非連通となり居室内空間に連通するように、遮音扉と扉枠との隙間のうち、該遮音扉の上縁側及び側方縁部側であって居室側に第１のシール部材を配置するとともに、遮音扉と床面との隙間のうち、遮音扉の下縁側であって非居室空間側に第２のシール部材を配置してある。
【００３０】
そのため、遮音扉と扉枠との隙間を介した音の漏洩が未然に防止されるとともに、上述した上部貫通孔、貫通孔及び下部貫通孔における連通は、第１のシール部材及び第２のシール部材によって何ら阻害されず、居室の換気は上述した通り、十分に確保される。
【００３１】
第１のシール部材は、遮音扉を閉じた状態にて、上部貫通孔が居室の外側に拡がる非居室空間に連通し居室内空間には非連通となるように、遮音扉と扉枠との隙間に配置することができるのであれば、どのように構成するかは任意である。
【００３２】
第２のシール部材は、遮音扉を閉じた状態にて、下部貫通孔が非居室空間に非連通となり居室内空間に連通するように、遮音扉と床面との隙間に配置することができるのであれば、どのように構成するかは任意である。例えば、ピンチブロック株式会社から市販されている下框気密装置を使用することが可能である。
【００３３】
ここで、遮音扉の開き側側方縁部の下端近傍と床面との隙間を塞ぐ塞ぎブロックを床面に設置した場合においては、気密性を確保することが難しい遮音扉の開き側側方縁部の下端近傍の隙間を確実に塞ぎ、より防音性を向上させることが可能となる。
【発明を実施するための最良の形態】
【００３４】
以下、本発明に係る遮音扉及び遮音扉構造の実施の形態について、添付図面を参照して説明する。なお、従来技術と実質的に同一の部品等については同一の符号を付してその説明を省略する。
【００３５】
図１及び図２は、本実施形態に係る遮音扉１を示した図であり、図１は斜視図、図２(a)は鉛直断面図、(b)は(a)のＡ―Ａ線に沿う断面図、(c)は(a)のＢ―Ｂ線に沿う断面図である。これらの図に示すように、本実施形態に係る遮音扉１は、矩形状枠体２及び該矩形状枠体の構面内に配置された複数の横材４からなる矩形状フレーム１５と、該矩形状フレームに気密に接合された一対の面板３ａ，３ｂとで概ね構成してあり、面板３ａは矩形状フレーム１５の正面に、面板３ｂは矩形状フレーム１５の背面にそれぞれ接合してある。
【００３６】
一対の面板３ａ，３ｂは、矩形状の中質繊維板(MDF)５と、該中質繊維板の内面側、すなわち矩形状フレーム１５に接合される側に接着された制振ゴム６とでそれぞれ構成してある。
【００３７】
矩形状枠体２は、建込み姿勢にて上部に位置する上枠材７と、下部に位置する下枠材８と、両側方に位置する一対の縦枠材９，９とを全体が矩形状となるように各端を互いに接合してなる。なお、一対の縦枠材９，９の外方側面には、仕上げ材１０をそれぞれ取り付けてある。
【００３８】
横材４は、矩形状枠体２の短手方向、すなわち上枠材７及び下枠材８と平行になるように所定間隔で配置するとともに、その両端を縦枠材９，９に接合してあり、矩形状枠体２と各面板３ａ，３ｂとで囲まれた扉内空間を複数の分割空間２１に区画している。また、各横材４には、矩形状枠体２の長手方向、すなわち縦枠材９と平行になるように貫通孔１１をそれぞれ形成してあり、該貫通孔を介して複数の分割空間２１を連続的に連通させるようになっている。
【００３９】
矩形状枠体２の上枠材７には、縦枠材９と平行になるように上部貫通孔１２を形成してあり、分割空間２１のうち、最上段の分割空間２１を外部に連通させるようになっているとともに、矩形状枠体２の下枠材８にも、縦枠材９と平行になるように下部貫通孔１３を形成してあり、分割空間２１のうち、最下段の分割空間２１を外部に連通させるようになっている。
【００４０】
貫通孔１１、上部貫通孔１２及び下部貫通孔１３は、円筒形状に形成してあり、各横材４、上枠材７及び下枠材８に等間隔で複数設けてある。
【００４１】
各分割空間２１には、建込み状態にて鉛直になるように仕切板としての折曲げ板１４ａ，１４ｂを配置してあるとともに、面板３ａ，３ｂと非平行に配置することにより、各分割空間２１の空気層の厚みを矩形状枠体２の短手方向に沿って変化させてある。
【００４２】
折曲げ板１４ａは、図２(b)に示すように、断面がくの字状となるように中央で折曲げ形成して構成してあり、該折曲げ板の両側方縁部を矩形状枠体２の各縦枠材９の内方側面であって背面側の面板３ｂ近傍にそれぞれ接合するとともに、折曲げ板１４ａの折曲げ位置における山側突出部を正面側の面板３ａの内面に接合してある。
【００４３】
折曲げ板１４ｂは、図２(c)に示すように、折曲げ板１４ａとほぼ同様、断面がくの字状となるように中央で折曲げ形成して構成してあり、該折曲げ板の両側方縁部を矩形状枠体２の各縦枠材９の内方側面であって正面側の面板３ａ近傍にそれぞれ接合するとともに、折曲げ板１４ｂの折曲げ位置における山側突出部を背面側の面板３ｂの内面に接合してある。
【００４４】
ここで、各折曲げ板１４ａ，１４ｂは図２(a)でよくわかるように、それらの折曲げ側が矩形状枠体２の長手方向に沿って交互になるように各分割空間２１にそれぞれ配置してある。
【００４５】
なお、各折曲げ板１４ａ，１４ｂによって各分割空間２１は正面側空間２２と背面側空間２３とに仕切られることとなるが、折曲げ板１４ａ，１４ｂが建込み状態にて鉛直になるように配置されているため、折曲げ板１４ａ，１４ｂが分割空間２１，２１同士の連通を阻害するものではなく、隣接する分割空間２１，２１は、貫通孔１１を介した相互連通が維持される。
【００４６】
図３は、遮音扉１を居室であるトイレの扉として用いた場合における遮音扉構造３１を示した図であり、(a)は正面図、(b)は(a)のＣ―Ｃ線に沿う断面図、(c)は(a)のＤ―Ｄ線に沿う断面図である。同図に示すように、本実施形態に係る遮音扉構造３１は、遮音扉１をトイレの扉として扉枠３２内に設置してなり、遮音扉１の正面側はトイレの外側に拡がる非居室空間である廊下側、遮音扉１の背面側は居室内空間であるトイレ側となっている。
【００４７】
遮音扉１と扉枠３２との隙間のうち、遮音扉１の上縁側及び両側方縁部側には、遮音扉１を閉じた状態にて、上部貫通孔１２が廊下に連通しトイレには非連通となるよう、第１のシール部材３３をトイレ側に配置してある。なお、第１のシール部材３３は、例えば扉枠３２の内面に接着することによって取り付ければよい。
【００４８】
第１のシール部材３３は、遮音扉１を閉じた状態において隙間を塞いで気密となるように、例えば市販のドアパッキンから適宜選択して用いればよい。
【００４９】
一方、遮音扉１と床面３６との隙間のうち、遮音扉１の下縁側には、下部貫通孔１３が廊下に非連通となりトイレに連通するよう、第２のシール部材３４を廊下側に配置してある。
【００５０】
第２のシール部材３４は、ピンチブロック株式会社から市販されている下框気密装置を使用することが可能であり、該下框気密装置は、ゴム体を昇降自在に構成することによって、遮音扉１と床面３６との隙間を塞ぐことができるようになっており、昇降ストロークを限度としてさまざまな大きさの隙間に対応可能である。
【００５１】
ここで、遮音扉１の開き側側方縁部、すなわち遮音扉１の吊り元とは反対側の下端近傍の床面３６には塞ぎブロック３５を設置してあり、遮音扉１を閉じた状態にて、該遮音扉の開き側側方縁部と床面３６との隙間を塞ぐようになっている。
【００５２】
塞ぎブロック３５は、発砲ウレタンや発泡ゴムを隙間の大きさに合わせて角柱状に形成して構成してある。
【００５３】
本実施形態に係る遮音扉１を製造する際は、まず、正面側の面板３ａを構成する中質繊維板５の内面に制振ゴム６を接着剤で貼着する。一方、貫通孔１１を形成した横材４を、上部貫通孔１２及び下部貫通孔１３を形成した矩形状枠体２に接合して矩形状フレーム１５を製造しておく。
【００５４】
次に、正面側の面板３ａの内面に矩形状フレーム１５を気密に接合する。
【００５５】
次に、仕切板である折曲げ板１４ａ，１４ｂをそれぞれ取り付ける。このとき、仕切板を折曲げ板１４ａ，１４ｂで構成してあるため、該折曲げ板を矩形状フレーム１５内に置くだけで面板３ａと非平行となるように安定して配置することができる。
【００５６】
次に、背面側の面板３ｂを構成する中質繊維板５の内面に制振ゴム６を接着剤で貼着しておき、矩形状フレーム１５の背面側に配置して、該矩形状フレームと気密に接合する。
【００５７】
本実施形態に係る遮音扉１及び遮音扉構造３１においては、遮音扉１と扉枠３２との隙間を気密に構成するとともに扉内空間に空気が流れる流路を設けることにより、換気を確保しながら、以下のようにトイレで発生した音を減衰させる。
【００５８】
すなわち、トイレで発生した音が扉内空間を伝播して廊下へ伝わる際、まず、下部貫通孔１３を介して最下段の分割空間２１に音が入り、次いで、横材４に設けられた貫通孔１１を通過して隣接する分割空間２１に音が入る。以下、貫通孔１１と分割空間２１とを交互に音が伝播していき、最後に上部貫通孔１２から廊下へと音が出ていく。
【００５９】
かかる過程において、遮音扉１内に入った音は、断面積が大きい分割空間２１と、断面積が小さい貫通孔１１とを交互に伝播していくこととなるため、かかる断面積の変化によって生じる音の反射や、貫通孔１１を通過する際に生じる摩擦等によって音のエネルギーが減衰する。
【００６０】
加えて、分割空間２１を伝播する際、制振ゴム６の内面側で音が多重反射しながら遮音扉１の下方から上方へと音が伝播していくことにより、該制振ゴムによる減衰作用も生じる。かかる制振ゴムによる減衰作用は、扉内空間を音がほぼ直交方向に透過する従来のフラッシュ扉ではあり得ない作用効果である。したがって、制振ゴムの厚み、ゴムの種類等の仕様を適宜選択することにより、遮音扉１の遮音性能を所望の性能に設定することも可能となる。
【００６１】
なお、廊下で発生した音が扉内空間を伝播してトイレへ伝わる際も、音が伝播していく方向が逆になるだけで、上述したトイレで発生した音が廊下へ伝わる場合と同様の作用を奏することとなる。
【００６２】
一方、トイレに設けられた換気扇等の機械換気装置を作動させることによって、トイレ内が廊下に比べて負圧となる。そのため、廊下の空気は、上部貫通孔１２から最上段の分割空間２１に入り、横材４に設けられた貫通孔１１と分割空間２１とを交互に通過しながら、下部貫通孔１３からトイレへと出ていき、かくして、トイレ内は、廊下側から屋外へと流れる空気によって換気されることとなる。
【００６３】
なお、トイレ内での発生音が廊下に伝播する方向と換気の方向とは逆方向となるが音の伝播速度が換気の流れ速度よりも圧倒的に大きいため、上述した方向の違いは何ら問題とならない。
【００６４】
また、本実施形態に係る遮音扉１及び遮音扉構造３１においては、各面板３ａ，３ｂと折曲げ板１４ａ，１４ｂとの間に形成される空気層の厚みが均一でなくなるため、二重壁に起因する共振作用によって特定の周波数の音が通過しやすくなるという透過損失の問題が解消される。
【００６５】
すなわち、フラッシュ扉のような面板が向かい合った従来構造の扉は、内部の空気層が空気バネとして作用するため、面板の間隔に依存した固有周波数で面板が大きく振動する。
【００６６】
このような従来構造に対し、本実施形態では、上述した折曲げ板１４ａ，１４ｂによって空気層の厚みが短手方向に変化し、かくして特定の固有振動数で共振するといった事態が未然に回避される。
【００６７】
なお、折曲げ板１４ａ，１４ｂは、建込み状態にて鉛直になるように配置されているので、各分割空間２１の相互連通、ひいては鉛直に抜ける空気の流路は上述したようにそのまま維持される。したがって、通気性が阻害される懸念はない。
【００６８】
また、トイレ内の音が遮音扉１を廊下側へと透過する際、通常のフラッシュ扉であれば、気密状態となっている、言い換えれば空気の圧縮膨張が拘束された扉内空間を透過することとなるため、かかる圧縮膨張の拘束が空気バネとなって共振作用を避けることができなかったが、本実施形態においては、上部貫通孔１２及び下部貫通孔１３を設けたことにより、扉内空間は、空気の圧縮膨張を許容することとなり、空気バネによる共振作用が低下し、上述した折曲げ板１４ａ，１４ｂの作用とも相まって、遮音扉１の透過損失は大幅に増加する。
【００６９】
ここで、遮音扉１の廊下側の面板３ａの面外剛性をトイレ側の面板３ｂの面外剛性よりも高く設定しておけば、トイレ内の音が遮音扉１を透過する際、面板３ａの面外振動による二次放射を抑制することが可能となり、遮音扉１の透過損失をさらに増加させることが可能となる。ちなみに、上述した折曲げ板１４ａ，１４ｂによって遮音扉１全体の剛性が向上しているため、該遮音扉が反るおそれはない。
【００７０】
以上説明したように、本実施形態に係る遮音扉１及び遮音扉構造３１によれば、矩形状枠体２のうち上枠材７及び下枠材８にそれぞれ上部貫通孔１２及び下部貫通孔１３を形成するとともに、各横材４にそれぞれ貫通孔１１を形成することにより該貫通孔を介して複数の分割空間２１を連続的に連通させたので、遮音扉１内を音が伝播していく際には、空洞型消音器と同様の効果を得ることができ、トイレで発生した音は、扉内空間を伝播する際に減衰されて廊下へ伝わることとなり、防音性を確保することが可能となる。一方、遮音扉１内には鉛直に抜ける空気の流路が形成されているため、廊下からトイレへの通気性も確保することが可能となる。
【００７１】
したがって、本実施形態に係る遮音扉１及び遮音扉構造３１によれば、トイレ内で発生する音に対する防音性を高めつつトイレ内の換気も可能となり、トイレ用遮音扉としてきわめて優れた作用効果を奏する。
【００７２】
また、本実施形態に係る遮音扉１及び遮音扉構造３１によれば、各分割空間２１に仕切板として折曲げ板１４ａ，１４ｂを配置して各分割空間２１の空気層の厚みを矩形状枠体２の短手方向に沿って変化させたので、各面板３ａ，３ｂと折曲げ板１４ａ，１４ｂとの間に形成される空気層の厚みが均一でなくなり、二重壁に起因する共振作用によって特定の周波数の音が通過しやすくなるという透過損失の問題を解消し、遮音扉１の防音性を向上させることが可能となる。
【００７３】
また、本実施形態に係る遮音扉１及び遮音扉構造３１によれば、仕切板を折り曲げ板１４ａ，１４ｂで構成したので、該折曲げ板を取り付ける際に矩形状フレーム１５内に折曲げ板１４ａ，１４ｂを置くだけで、面板３ａ，３ｂと非平行となるように安定して配置することができ、各折曲げ板１４ａ，１４ｂを取り付ける際の作業性が向上する。
【００７４】
また、本実施形態に係る遮音扉１及び遮音扉構造３１によれば、各折曲げ板１４ａ，１４ｂをその折曲げ側が矩形状枠体２の長手方向に沿って交互になるように分割空間２１にそれぞれ配置するようにしたので、遮音扉１を鉛直面に対して対称構造とすることが可能となり、遮音扉１の反りを未然に防止することができる。
【００７５】
また、本実施形態に係る遮音扉構造３１によれば、遮音扉１を扉枠３２内に設置し、遮音扉１を閉じた状態にて、上部貫通孔１２が廊下に連通しトイレには非連通になるとともに、下部貫通孔１３が廊下に非連通となりトイレに連通するように、第１のシール部材３３及び第２のシール部材３４を配置したので、遮音扉１と扉枠３２との隙間を介した音の漏洩を未然に防止することができるとともに、上述した上部貫通孔１２、貫通孔１１及び下部貫通孔１３における連通は、第１のシール部材３３及び第２のシール部材３４によって何ら阻害されず、トイレの換気を十分に行うことが可能となる。
【００７６】
また、本実施形態に係る遮音扉構造３１によれば、遮音扉１の開き側側方縁部の下端近傍と床面３６との隙間を塞ぐ塞ぎブロック３５を床面３６に設置したので、気密性を確保することが難しい遮音扉１の開き側側方縁部の下端近傍の隙間を確実に塞ぎ、より防音性を向上させることが可能となる。
【００７７】
本実施形態では、各折曲げ板１４ａ，１４ｂを、その折曲げ側が矩形状枠体２の長手方向に沿って交互になるように分割空間２１にそれぞれ配置したが、これに変えて、遮音扉の反りがほとんど生じない場合などは、各折曲げ板の折曲げ側が全て正面側の面板に接合されるように、又は全て背面側の面板に接合されるように配置してもかまわない。
【００７８】
また、本実施形態では、仕切板を折曲げ板１４ａ，１４ｂで構成したが、仕切板は、各分割空間に面板と非平行にかつ建込み状態にて鉛直になるように配置して各分割空間の空気層の厚みを矩形状枠体の短手方向に沿って変化させることができるのであれば、どのように構成するかは任意であり、例えば、断面がＷ字状となるように折り曲げて構成してもかまわないし、折り曲げずに矩形状の平板で構成してもかまわない。
【００７９】
また、本実施形態では、仕切板である折曲げ板１４ａ，１４ｂを設置することによって二重壁に起因する共振作用による透過損失の問題を解消するように構成したが、かかる共振作用による影響が十分小さい場合や許容できる場合などは、仕切板を省略してもかまわない。
【００８０】
また、本実施形態では、遮音扉１の開き側側方縁部の下端近傍と床面との隙間を塞ぐ塞ぎブロック３５を床面に設置するように構成したが、これに加えて、遮音扉の吊り元側側方縁部の下端近傍と床面との隙間を塞ぐ塞ぎブロックを床面に設置するようにしてもかまわないし、かかる隙間が生じない場合などは塞ぎブロックを全て省略してもかまわない。
【００８１】
また、本実施形態では、居室がトイレである場合を想定して説明したが、居室がトイレに限定されるものでないことは言うまでもない。
【００８２】
本実施形態に係る折曲げ板１４ａ，１４ｂの効果を実験により確認したので、以下かかる実験について説明する。
【００８３】
試験用に用いた遮音扉は、本実施形態に係る折曲げ板を用いた試験用扉Ａと、該試験用扉Ａから該折曲げ板を取り除いてなる試験用扉Ｂの２種類である。
【００８４】
試験用扉Ａ，Ｂは、矩形状フレームと、該矩形状フレームの正面及び背面にそれぞれ気密に接合された一対の面板とからなる。
【００８５】
各面板は厚さ3mmの中質繊維板の内面に厚さ2mmの制振ゴムを貼着してそれぞれ構成してあるとともに、矩形状フレームは厚さ24mmの木材で構成してあり、試験用扉Ａ，Ｂの厚さはそれぞれ34mmとなっている。
【００８６】
矩形状フレームは、592×1982mmの矩形状枠体の構面内に、該矩形状枠体の短手方向と平行となるように６本の横材を等間隔で配置してあり、矩形状枠体及び面板で囲まれた扉内空間が各横材によって７個の分割空間に区画されている。
【００８７】
矩形状枠体の上枠材及び下枠材には、直径16mmの上部貫通孔及び下部貫通孔をそれぞれ23個等間隔で形成してあるとともに、各横材にも、直径16mmの貫通孔をそれぞれ23個等間隔で形成してある。
【００８８】
ここで、試験用扉Ａには、各分割空間に厚さ3mmの中質繊維板で構成された折曲げ板を建込み状態にて鉛直になるようにそれぞれ配置してあるが、各折曲げ板をその折曲げ側が矩形状枠体の長手方向に沿って交互になるように配置してある。
【００８９】
かかる試験用扉Ａ，Ｂを、トイレを想定した910×1820×2450mmの居室の短手方向の壁に設けられた扉枠内に設置することとなるが、上述した実施形態と同様、試験用扉Ａ，Ｂを閉じた状態にて、上部貫通孔が居室の外側に拡がる外部空間に連通し居室側には非連通となるとともに下部貫通孔が居室の外側に拡がる外部空間に非連通となり居室側に連通するように、試験用扉Ａ，Ｂと扉枠との隙間のうち、該試験用扉の上縁側及び側方縁部側であって居室側に第１のシール部材を配置するとともに、試験用扉Ａ，Ｂと床面との隙間のうち、試験用扉Ａ，Ｂの下縁側であって外部空間側に第２のシール部材を配置してある。また、試験用扉Ａ，Ｂの開き側側方縁部の下端近傍と床面との隙間を塞ぐ塞ぎブロックを床面に設置してある。
【００９０】
次に、実験方法について説明する。まず、図４に示すように、試験用扉Ａ又はＢが取り付けられた居室４１内に、音源であるスピーカ４２及び音源側のマイクロフォン４３を設置するとともに、居室４１外であって試験用扉Ａ又はＢ近傍にも受音側のマイクロフォン４４を設置しておく。
【００９１】
なお、スピーカ４２は居室４１の奥側のコーナーに向かって45度方向で、斜め上向きとなるように設置する。また、音源側のマイクロフォン４３は、居室４１内に均一に５個設置するとともに、受音側のマイクロフォン４４は、試験用扉Ａ又はＢから250mm離れた位置に均一に５個設置する。
【００９２】
次に、スピーカ４２から様々な周波数の音を発生させ、居室４１内に設置した音源側のマイクロフォン４３及び居室４１外に設置した受音側のマイクロフォン４４でそれぞれ音圧レベルを測定する。なお、発生させる音の周波数は、１２５，２５０，５００，１Ｋ，２Ｋ，４Ｋ（Hz）とした。
【００９３】
次に、各マイクロフォン４３，４４の測定結果から音源側である居室４１内と受音側である居室４１外との間の音圧レベル差（dB）を求める。なお、測定は、ＪＩＳ  Ａ  １４１７：２０００  建築物の空気遮断性能の測定方法  付属書２（規定）特定場所間音圧レベル差の測定方法に準じて行った。
【００９４】
図５は、かかる測定から得られた居室４１内と居室４１外との間の音圧レベル差を示したグラフで、(a)は試験用扉Ｂの測定結果であり、(b)は試験用扉Ａの測定結果である。同図(a)に示すように、折曲げ板を省略した試験用扉Ｂでは、周波数２５０Hzにおける内外音圧レベル差が１３dBと他の周波数の時に比べて低下しており、二重壁に起因する共振作用をおこしていると考えられる。このため、扉の防音性能の指標である遮音等級がＤ−１５と低くなってしまう。
【００９５】
一方、同図(b)に示すように、折曲げ板を配置した試験用扉Ａでは、周波数２５０Hzにおける内外音圧レベル差が２０dBとなっており、試験用扉Ｂで生じていた２５０Hz近傍での防音性能の低下が試験用扉Ａでは改善されている。そのため、遮音等級Ｄ−２５を得ることができ、折曲げ板を配置することによって、より優れた防音性能を有する扉となることがわかる。
【００９６】
次に、試験用扉Ａの通気性を確認すべく、所定の通過風量に対する圧力損失を測定する実験を行った。図６は、通過風量（m３/h）と圧力損失（mmH２O）との関係を示した図であり、●が試験用扉Ａ、▲が標準的な扉の測定結果である。なお、標準的な扉は、5mmのアンダーカットが形成されるように取り付けてあり、扉の周囲の隙間を介して通気を行うようになっている。
【００９７】
同図に示すように、標準的な扉では、通過風量の増加に対する圧力損失の増加が小さいのに対し、試験用扉Ａでは、通過風量の増加に対する圧力損失の増加が大きく、通過風量が少ないうちは標準的な扉より圧力損失が小さいが、通過風量が多くなると標準的な扉より圧力損失が大きくなっている。ここで、試験用扉Ａの測定結果と標準的な扉の測定結果との交点αは２１．４９m３/hであるが、トイレの換気に必要となるのは２０m３/h程度であるため、試験用扉Ａは、トイレ用の扉として使用するのに十分な通気性を有しているといえる。
【図面の簡単な説明】
【００９８】
【図１】本実施形態に係る遮音扉を示した斜視図。
【図２】本実施形態に係る遮音扉を示した図で、(a)は鉛直断面図、(b)は(a)のＡ―Ａ線に沿う断面図、(c)は(a)のＢ−Ｂ線に沿う断面図。
【図３】本実施形態に係る遮音扉構造を示した図で、(a)は正面図、(b)は(a)のＣ―Ｃ線に沿う断面図、(c)は(a)のＤ−Ｄ線に沿う断面図。
【図４】折曲げ板の効果を確認した実験の様子を示した配置図。
【図５】折曲げ板の効果を確認した実験の測定結果を示したグラフ。
【図６】通過風量と圧力損失との関係を示したグラフ。
【符号の説明】
【００９９】
１                            遮音扉
２                            矩形状枠体
３ａ，３ｂ                    面板
４                            横材
７                            上枠材
８                            下枠材
１１                          貫通孔
１２                          上部貫通孔
１３                          下部貫通孔
１４ａ，１４ｂ                折曲げ板（仕切板）
１５                          矩形状フレーム
２１                          分割空間
３１                          遮音扉構造
３２                          扉枠
３３                          第１のシール部材
３４                          第２のシール部材
３５                          塞ぎブロック
３６                          床面
【図１】
2005105579.tif 000003
【図２】
2005105579.tif 000004
【図３】
2005105579.tif 000005
【図４】
2005105579.tif 000006
【図５】
2005105579.tif 000007
【図６】
2005105579.tif 000008